(57)【要約】【課題】スクリーン上に表を直接記述して作成する際の作業性を向上させることが可能な投影装置を提供する。【解決手段】文書の表示画像をスクリーンに投影する投影装置において、装置内蔵又は着脱自在なメモリに、複数の罫線により構成されるテンプレート画像Ｔ１を記憶させておく。使用時には、所定の操作に応じて記憶してあるテンプレート画像Ｔ１をスクリーンに投影させる。また、テンプレート画像Ｔ１を罫線の内容を示す罫線データ等のデータとして記憶させておき、ユーザーに所定の方法で任意の罫線が指定されたら、それを特定した後、特定した罫線の移動、削除、太さや色等の属性変更といった編集処理を実施させる。【選択図】    図３
2004198858.tif 000002
【特許請求の範囲】
【請求項１】
文書の表示画像をスクリーンに投影する投影手段を備えた投影装置において、
複数本の罫線により構成されるテンプレート画像を記憶する記憶手段と、
この画像情報記憶手段に記憶されているテンプレート画像を、要求に応じて前記投影手段に投影させる制御手段とを備えたことを特徴とする投影装置。
【請求項２】
前記記憶手段は、前記テンプレート画像を画像情報として記憶することを特徴とする請求項１記載の投影装置。
【請求項３】
前記記憶手段は、前記テンプレート画像を前記複数本の罫線をそれぞれ示す罫線情報として記憶し、その罫線情報に基づき前記テンプレート画像の画像情報を生成する生成手段を備えるとともに、前記制御手段は、その生成手段により生成された画像情報に基づくテンプレート画像を前記投影手段に投影させることを特徴とする請求項１記載の投影装置。
【請求項４】
前記記憶手段に記憶されている罫線情報を、要求に応じ編集する編集手段を備え、
前記制御手段は、その編集手段により編集された後の罫線情報に基づく画像情報を前記生成手段に生成させることを特徴とする請求項３記載の投影装置。
【請求項５】
前記編集手段は、前記罫線情報に含まれる罫線の位置を示す位置情報を編集することを特徴とする請求項４記載の投影装置。
【請求項６】
前記編集手段は、前記罫線情報に含まれる罫線の属性を示す罫線属性情報を編集することを特徴とする請求項４又は５記載の投影装置。
【請求項７】
前記投影手段によりスクリーンに投影されたテンプレート画像においてユーザーに指定された任意の罫線を特定する罫線特定手段を備え、前記編集手段は、その罫線特定手段により特定された罫線を対象とした情報編集を行うことを特徴とする請求項４，５又は６記載の投影装置。
【請求項８】
前記記憶手段は、前記複数本の罫線により構成される枠の属性を示す枠属性情報をさらに記憶し、前記生成手段は、前記罫線情報と前記枠属性情報とに基づき前記テンプレート画像の画像情報を生成することを特徴とする請求項３〜７のいずれか１項に記載の投影装置。
【請求項９】
前記記憶手段に記憶されている枠属性情報を、要求に応じ編集する第２の編集手段を備え、
前記制御手段は、その第２の編集手段により編集された後の枠属性情報と、前記罫線情報とに基づく画像情報を前記生成手段に生成させることを特徴とする請求項８記載の投影装置。
【請求項１０】
前記投影手段によりスクリーンに投影されたテンプレート画像においてユーザーに指定された任意の枠を指定するための枠特定手段を備え、前記第２の編集手段は、その枠特定手段により特定された枠を対象とした枠属性情報の編集を行うことを特徴とする請求項９記載の投影装置。
【請求項１１】
文書の表示画像をスクリーンに投影する投影手段を備えた投影装置が有するコンピュータを、当該投影装置が有する記憶手段に記憶されている、複数本の罫線により構成されるテンプレート画像を、要求に応じて前記投影手段に投影させる制御手段として機能させるためのプログラム。
【発明の詳細な説明】
【０００１】
【発明の属する技術分野】
本発明は、ミーティング等に用いて好適な投影装置に関する。
【０００２】
【従来の技術】
従来、企画説明や商品説明等のプレゼンテーションにおいては、パーソナルコンピュータ（以下、パソコンという）にデータとして記憶されているドキュメント、すなわち文字や図表等とからなる文書をプロジェクタによりスクリーン上に拡大して投影することが行われている。プロジェクタとしては、液晶やマイクロミラーアレイ等の画像変換素子を用いて、パソコンから映像信号として出力されたドキュメントの画像情報を投影光に変換する構成を備えたものが一般的である。
【０００３】
また、近年においては、プロジェクタの小型化により、プロジェクタを用いてミーティングを行う機会が増えている。その場合には、投影用のスクリーンとしてホワイトボードを使用することにより、ドキュメント等を投影しながら、マーカーによってホワイトボード上へのコメントやアンダーラインを直接記述できるようにしたり、その途中に、例えば議論を整理するためにホワイトボードに表を作ったりすることができるようにしている。なお、こうしたプロジェクタの使用例としては、プロジェクタにカメラが搭載されたものを用いたプレゼンテーションシステムが下記の特許文献１に記載されている。
【０００４】
【特許文献１】
特開平１１−３０５３３５号公報（図１）
【０００５】
【発明が解決しようとする課題】
ところで、前述したようにミーティングに際して、ホワイトボードに表を作成する場合には、以下の方法がある。
（１）ホワイトボードに、マーカーで罫線を引き、枠内の文字等もマーカーで記入する。
（２）ホワイトボードに、パソコン側で作成した罫線をプロジェクタによって投影し、枠内の文字等はマーカーで記入する。
（３）ホワイトボードに、パソコン側で作成した罫線をプロジェクタによって投影し、枠内の文字等はパソコン上での入力作業により記入する。
【０００６】
しかしながら、（１）の方法では罫線を引くのに時間がかかり、（２）の方法ではパソコンにおいて罫線を引くために特別のアプリケーションソフトを立ち上げる必要があり、（３）方法では複数の参加者がホワイトボードを囲みマーカーを持って表の作成等、つまり議論に参加することができないことから、スクリーン上に表を直接記述して作成する際の作業性が極めて悪いという問題があった。
【０００７】
本発明は、かかる従来の課題に鑑みてなされたものであり、スクリーン上に表を直接記述して作成する際の作業性を向上させることが可能な投影装置を提供することを目的とする。
【０００８】
【課題を解決するための手段】
前記課題を解決するために請求項１の発明にあっては、文書の表示画像をスクリーンに投影する投影手段を備えた投影装置において、複数本の罫線により構成されるテンプレート画像を記憶する記憶手段と、この画像情報記憶手段に記憶されているテンプレート画像を、要求に応じて前記投影手段に投影させる制御手段とを備えたものとした。
【０００９】
かかる構成においては、所定の要求があると、複数本の罫線により構成されるテンプレート画像が投影手段によってスクリーンに投影される。
【００１０】
また、請求項２の発明にあっては、前記記憶手段は、前記テンプレート画像を画像情報として記憶するものとした。
【００１１】
かかる構成においては、多種多様なテンプレート画像を投影することができる。
【００１２】
また、請求項３の発明にあっては、前記記憶手段は、前記テンプレート画像を前記複数本の罫線をそれぞれ示す罫線情報として記憶し、その罫線情報に基づき前記テンプレート画像の画像情報を生成する生成手段を備えるとともに、前記制御手段は、その生成手段により生成された画像情報に基づくテンプレート画像を前記投影手段に投影させるものとした。
【００１３】
かかる構成においては、前記複数本の罫線をそれぞれ示す罫線情報に基づき生成されたテンプレート画像がスクリーンに投影される。したがって、記憶手段が要するテンプレート画像の記憶容量を小さくすることができる。
【００１４】
また、請求項４の発明にあっては、前記記憶手段に記憶されている罫線情報を、要求に応じ編集する編集手段を備え、前記制御手段は、その編集手段により編集された後の罫線情報に基づく画像情報を前記生成手段に生成させるものとした。
【００１５】
かかる構成においては、投影されたテンプレート画像の罫線の内容を要求に応じて編集することができる。
【００１６】
また、請求項５の発明にあっては、前記編集手段は、前記罫線情報に含まれる罫線の位置を示す位置情報を編集するものとした。
【００１７】
かかる構成においては、投影されたテンプレート画像において、罫線の位置を編集することができる。
【００１８】
また、請求項６の発明にあっては、前記編集手段は、前記罫線情報に含まれる罫線の属性を示す罫線属性情報を編集するものとした。
【００１９】
かかる構成においては、投影されたテンプレート画像において、罫線の属性、すなわち色、太さ、線種等を編集することができる。
【００２０】
また、請求項７の発明にあっては、前記投影手段によりスクリーンに投影されたテンプレート画像においてユーザーに指定された任意の罫線を特定する罫線特定手段を備え、前記編集手段は、その罫線特定手段により特定された罫線を対象とした情報編集を行うものとした。
【００２１】
かかる構成においては、投影されたテンプレート画像において、ユーザーに指定された特定の罫線についての移動や属性変更ができる。
【００２２】
また、請求項８の発明にあっては、前記記憶手段は、前記複数本の罫線により構成される枠の属性を示す枠属性情報をさらに記憶し、前記生成手段は、前記罫線情報と前記枠属性情報とに基づき前記テンプレート画像の画像情報を生成するものとした。
【００２３】
かかる構成においては、罫線だけでは表現できない多様なテンプレート画像を投影することができる。
【００２４】
また、請求項９の発明にあっては、前記記憶手段に記憶されている枠属性情報を、要求に応じ編集する第２の編集手段を備え、前記制御手段は、その第２の編集手段により編集された後の枠属性情報と、前記罫線情報とに基づく画像情報を前記生成手段に生成させるものとした。
【００２５】
かかる構成においては、投影されたテンプレート画像において、各枠の属性、すなわち塗りつぶし色、太さ等を編集することができる。
【００２６】
また、請求項１０の発明にあっては、前記投影手段によりスクリーンに投影されたテンプレート画像においてユーザーに指定された任意の枠を指定するための枠特定手段を備え、前記第２の編集手段は、その枠特定手段により特定された枠を対象とした枠属性情報の編集を行うものとした。
【００２７】
かかる構成においては、投影されたテンプレート画像において、ユーザーに指定された特定の枠の属性を編集することができる。
【００２８】
また、請求項１１の発明にあっては、文書の表示画像をスクリーンに投影する投影手段を備えた投影装置が有するコンピュータを、当該投影装置が有する記憶手段に記憶されている、複数本の罫線により構成されるテンプレート画像を、要求に応じて前記投影手段に投影させる制御手段として機能させるためのプログラムとした。
【００２９】
【発明の実施の形態】
以下、本発明の一実施の形態を図にしたがって説明する。
（第１の実施の形態）
図１は本実施の形態における投影システムを示す構成図である。この投影システムは、ドキュメントの投影に使用されるプロジェクタ１と、汎用のパーソナルコンピュータ（ＰＣ）１００とから構成されており、プロジェクタ１とＰＣ１００はＲＧＢケーブル２００及びＵＳＢケーブル３００を介して接続されている。プロジェクタ１はスクリーンＳ（本実施の形態ではホワイトボード）を撮影するためのデジタルカメラが内蔵されたものであって、本体の正面側には、前記表示画像の投影レンズ等の光学系からなる投影部１ａと、撮影レンズ等の光学系からなる撮影部１ｂとが並んで設けられている。
【００３０】
図２はプロジェクタ１とＰＣ１００の概略構成を示すブロック図である。プロジェクタ１は、主としてＣＰＵ２と、ＲＯＭ３、ＲＡＭ４、テンプレートメモリ５、表示部６、キー入力部７、デジタルカメラ部８から構成されるとともに、前記ＲＧＢケーブル２００が接続された画像入力端子９と、前記ＵＳＢケーブル３００が接続されたＵＳＢ端子１０とを有している。
【００３１】
前記表示部６は本発明の投影手段であって、クリプトンランプ等の光源、光源の光を投影光に変換するための液晶やマイクロミラーアレイ等の画像変換素子、画像変換素子を画像入力端子９から入力したＲＢＧ信号に応じて駆動する駆動回路、前記投影部１ａにおける投影レンズ等の光学系を含み、ＰＣ１００から出力されたドキュメント（文字や図表等とからなる文書）の表示画像をスクリーンＳに投影する。
【００３２】
キー入力部７は、ユーザーがプロジェクタ１の操作を行うために用意された複数の操作ボタンからなり、それらには後述するテンプレート画像を表示させるための機能等の各種の機能が割り当てられている。デジタルカメラ部８は、前記撮影部１ｂにおける撮影レンズ等の光学系、光学系により結像された光学像を画像信号に光電変換するＣＭＯＳセンサやＣＣＤ等の撮像素子、撮像素子から出力されデジタル信号に変換された撮像信号を圧縮する、画像データ圧縮信号処理回路等から構成される。デジタルカメラ部８は、キー入力部７に設けられている所定の操作ボタンが押されることにより、前記スクリーンＳを被写体とした撮影動作を行う。
【００３３】
テンプレートメモリ５は複数種の投影用画像が格納された本発明の記憶手段であって、テンプレートメモリ５には、汎用的なテンプレートの投影用画像（以下、テンプレート画像）、例えば図３に示したようなラインナップテンプレートＴ１や、図４に示したような議事録テンプレートＴ２、図５に示した世界地図テンプレートＴ３の複数種のテンプレート画像のデータが格納されている。
【００３４】
ＣＰＵ２は、ＲＯＭ３に格納されているプログラムに従い、ＲＡＭ４を作業用メモリとして前述した各部を制御することにより本発明の制御手段として機能する。なお、画像入力端子９はＣＰＵ２に接続されている図示しないＡ／Ｄコンバータ等を含む入力画像処理回路に設けられており、ＵＳＢ端子１０はＣＰＵ２に接続されている図示しないＵＳＢの通信インターフェイス回路に設けられている。
【００３５】
一方、ＰＣ１００は主としてＣＰＵ１０１、ＲＡＭ１０２、記憶装置１０３、本体に設けられた複数のキーや、本体に接続されたマウス等の入力装置１０４、ＬＣＤ及びその駆動回路等からなる表示装置１０５から構成されるとともに、ＲＧＢケーブル２００が接続された画像出力端子１０６と、前記ＵＳＢケーブル３００が接続されたＵＳＢ端子１０７とを有している。前記記憶装置１０３は記憶容量の比較的大きなハードディスク等であり、記憶装置１０３には、プレゼンテーション用のドキュメントの作成・編集を行うためのプレゼンテーション用のプログラムが格納されている。なお、画像出力端子１０６はＣＰＵ１０１に接続されている図示しない出力画像処理回路に設けられており、ＵＳＢ端子１０７はＣＰＵ１０１に接続されている図示しないＵＳＢの通信インターフェイス回路に設けられている。
【００３６】
次に、前述したプロジェクタ１の動作、及びそれと対応するＰＣ１００の動作を図６のフローチャートに従って説明する。
【００３７】
ＰＣ１００は、入力装置１０４の操作によりユーザーにより指定されたドキュメントのデータを記憶装置１０３から読み込み、所定のページを表示装置に表示するとともに、ＲＧＢケーブル２００を介してプロジェクタ１へ出力する（ステップＳＡ１）。
【００３８】
一方、プロジェクタ１は、ＰＣ１００から出力された画像データによるドキュメントの表示画像をスクリーンＳに投影する（ステップＳＢ１）。その間に、ユーザーによってテンプレート表示用の操作ボタンが操作されると（ステップＳＢ２でＹＥＳ）、操作されたボタンに対応するテンプレート画像のデータを前記テンプレートメモリ５から読み出し（ステップＳＢ３）、その時点の投影画像（ドキュメント画像）を、読み出したデータに基づくテンプレート画像、つまり図３〜図５に示したような画像に切り替える（ステップＳＢ４）。
【００３９】
その後、プロジェクタ１は、ユーザーによって撮影操作があるか否かを判別し、撮影操作があった場合には（ステップＳＢ５でＹＥＳ）、デジタルカメラ部８によってテンプレート画像が投影されている状態のスクリーンを撮影し（ステップＳＢ６）、撮影により取得した画像データをＵＳＢケーブル３００を介してＰＣ１００へ出力する（ステップＳＢ７）。引き続き、テンプレートの終了操作があるまでの間は（ステップＳＢ８でＮＯ）、ステップＳＢ５〜ＳＢ７の動作を繰り返し、撮影操作がある毎に画像データをＰＣ１００へ出力する。また、テンプレートの終了操作があれば（ステップＳＢ８でＹＥＳ）、その時点の投影画像（テンプレート画像）を、元のドキュメント画像に切り替える（ステップＳＢ９）。その後は、以上の動作を繰り返し行う。
【００４０】
また、それと対応してＰＣ１００は、プロジェクタ１にドキュメント（いずれかのページ）の表示信号を出力する間、プロジェクタ１から画像データが転送されたか否かを割り込み処理によって随時確認し、画像データが転送されてきたら（ステップＳＡ２でＹＥＳ）、転送された画像データを、その時点で自己の表示装置１０５に表示し、かつプロジェクタ１へ出力しているドキュメントに関連づけて、記憶装置１０３の所定場所に記憶する（ステップＳＡ３）。係る処理は、上記画像データを、それがいずれのドキュメントを表示していたとき取得されたのかを識別可能なように記録する処理であり、例えば画像データ（具体的には、画像ファィル）に、ドキュメントのデータファイルの名称を、その一部に含むファイル名を付けて記憶装置１０３に記憶する。なお、同一のドキュメントについて画像データの転送回数が複数回あった場合には、ファイル名の末尾に枝番（例えば「−１」、「−２」）を付ける。その後は、以上の動作を繰り返し行う。
【００４１】
以上説明したように、前記プロジェクタ１においては、前述したようにテンプレート画像の画像データを有するとともに、必要に応じてそれをスクリーンＳに投影させることができる。
【００４２】
そのため、プロジェクタ１をミーティング等において使用するときには、所望するテンプレート画像を選択的に投影すれば、ユーザーは、スクリーンＳ（ホワイトボード）にマーカーで罫線を引いて表等を作らなくてもよく、表の作成に要する無駄な時間を節約することができる。また、ＰＣ１００側で特別のアプリケーションソフトを立ち上げる必要がなく、テンプレート画像を直ちに投影することができる。しかも、複数の参加者がスクリーンＳ（ホワイトボード）を囲みマーカーを持って議論に参加することもできる。したがって、スクリーンＳ上に表を直接記述して作成する際の作業性を向上させることができる。
【００４３】
さらに、予め複数種類のテンプレート画像が用意されており、それを画像データとして記憶する構成であるため、色々な用途に応じた多種多様なテンプレート画像を投影することができ、更にはそれを必要に応じて選択的に投影させることができるため、使い勝手がよい。
【００４４】
また、本実施の形態においてはプロジェクタ１が、テンプレート画像が投影された状態のスクリーンを撮影して、その画像をＰＣ１００へ送り記憶させることができため、スクリーンＳに記述された手書き情報を後で利用することができ、都合がよい。さらに、本実施の形態では、ＰＣ１００が、プロジェクタ１からクリーン画像を、それが撮影されていたとき、自己が表示したいたドキュメントと関連付けて記憶されるため、手書き情報を利用する場合には、それが、どのドキュメントの投影時に記述されていたのかを容易に知ることもできる。
【００４５】
なお、本実施の形態におけるプロジェクタ１においては、予めテンプレート表示用の操作ボタンに、所定のテンプレート画像を対応させておき、操作ボタンの選択によって投影するテンプレート画像を直ちに選択できるようにしたが、以下のようにしてユーザーにテンプレート画像を選択させるようにしてもよい。
【００４６】
例えば、投影モードとして、ドキュメント等を投影する通常の投影モードと、テンプレート画像を投影するテンプレート投影モードとを設けておき、所定のボタン操作に応じて投影モードをテンプレート投影モードに切り替える。その後、所定のボタン操作がある毎に、表示するテンプレート画像の種類を所定の順（逆順）に表示させることにより、所望するテンプレート画像を選択させるようにしてもよい。その場合、用意しておくテンプレート画像の種類（数）が多くとも、少数の操作ボタンで対応でき、都合がよい。
【００４７】
（第２の実施の形態）
次に、本発明の第２の実施の形態について説明する。図７は本実施の形態における投影システムを示す構成図であり、この投影システムは、ＲＧＢケーブル２００を介して接続されたプロジェクタ５１及びＰＣ１００と、ユーザーがスクリーンＳ上の任意の位置をスポット光Ｐによって指し示すためのレーザーポインタ４００とから構成されている。
【００４８】
図８は、本実施の形態におけるプロジェクタ５１とＰＣ１００の概略構成を示すブロック図である。本実施の形態においては、プロジェクタ５１の本体にはメモリカード２１を装着するためのスロットルが設けられており、ＣＰＵ２には、第１の実施の形態におけるテンプレートメモリ５に代えて、前記メモリカード２１へのデータの入出力を行うためのカードインターフェイス回路２２が接続されている。また、ＰＣ１００とはＲＧＢケーブル２００のみを介して接続された構成であり、プロジェクタ５１においてはＵＳＢ端子１０を有する通信インターフェイス回路が廃止されている。
【００４９】
本実施の形態においては前記メモリカード２１が本発明の記憶手段であって、メモリカード２１には、各々が行数及び列数が異なる複数種の表形式のテンプレートを投影するためのテンプレートデータが記憶されている。テンプレートデータは、図９（ａ）に示した罫線データ２１ａ（本発明の罫線情報）と、同図（ｂ）に示したセルデータ２１ｂ（本発明の枠属性情報）とから構成されている。罫線データ２１ａは、行数及び列数に応じた複数本の縦罫線及び横罫線（Ｋ１〜Ｋｎ）の始点と終点を示す座標（ｘ１，ｙ１、ｘ２，ｙ２）、線の太さ、色、線種を示すデータであり、セルデータ２１ｂは、表の各枠（Ｓ１〜Ｓｎ）を形成する上下左右の罫線（Ｋｓ１〜Ｋｓｎ）についての始点と終点を示す座標（ｘ１，ｙ１、ｘ２，ｙ２）、線の太さ、色（塗りつぶしの色）、線種を示すデータである。なお、罫線データ２１ａ及びセルデータ２１ｂにおける上記座標データは、プロジェクタ５１の表示部６が表示可能な画素数に応じた大きさの座標（例えば８００×６００）内での位置を示すデータである。
【００５０】
また、キー入力部７の複数の操作ボタンには、第１の実施の形態で説明したテンプレートの表示機能（テンプレートの選択機能を含む）、及びテンプレートの特定の種類の編集を開始させる機能と、編集開始後における編集の種類に応じた編集内容の指示機能等が割り当てられている。
【００５１】
そして、プロジェクタ５１が有するＲＯＭ３には、ＣＰＵ２を本発明の生成手段、編集手段、罫線特定手段、第２の編集手段、枠特定手段として機能させるためのプログラムが格納されており、そのプログラムに従ったＣＰＵ２の制御に基づきプロジェクタ５１は後述する動作を行う。
【００５２】
次に、本実施の形態のプロジェクタ５１の動作を説明する。図１０は、例えばドキュメントの投影中において、ユーザーが表示用ボタンを操作して所望のテンプレート画像を投影した後、投影されたテンプレート画像を、所定の編集ボタンとレーザーポインタ４００とを用いて編集する場合における動作を示すフローチャートである。
【００５３】
すなわちプロジェクタ５１においては、テンプレート表示用の操作ボタンが操作されると、ＣＰＵ２がそれと対応する前述したテンプレートデータをカードメモリ２１から読み出し、それに基づく投影用の画像データをＲＡＭ４に展開して所定のテンプレート画像のデータを生成した後、表示部６によって罫線（本実施の形態では縦罫及び横罫）からなる表形式のテンプレートをスクリーンＳに投影する（ステップＳＣ１）。引き続き、テンプレート編集の開始待ちとなり、いずれかの操作ボタンの操作によって編集開始時が指示されると（ステップＳＣ２でＹＥＳ）、それに割り当てられている編集の種類が「罫線移動」であれば罫線移動処理を実行し、「罫線属性変更」であれば、罫線属性変更処理を実行し、「枠内属性変更」であれば枠内属性変更処理を実行し、「罫線追加」であれば罫線追加処理を実行する（ステップＳＣ３〜ＳＣ９）。
【００５４】
以下、上記の各処理における動作内容を図１１〜図１５のフローチャートに従って説明する。図１１に示したように罫線移動処理においては、まず所定の操作ボタンによる開始操作待ちの状態となり（ステップＳＤ１でＮＯ）。その間、ユーザーに、レーザーポインタ４００のスポット光Ｐにより、投影中のテンプレート画像の所望する罫線を指定した状態を確保させる。そして、開始操作があったら（ステップＳＤ１でＹＥＳ）、図１２に示した指定位置判定処理を実行する（ステップＳＤ２）。
【００５５】
係る処理では、まずデジタルカメラ部８によってテンプレート画像が投影されている状態のスクリーンＳを撮影する（ステップＳＥ１）。次に、撮影した画像からテンプレート画像の投影領域を切り出し（ステップＳＥ２）、その部分の画像の台形歪みを補正するともに、補正後の画像領域内で輝度が最も高い部分をスポット光Ｐの照射位置として検出し（ステップＳＥ３）、さらに検出した画像領域内の位置を前述したテンプレートデータが基準とする座標での位置に変換する（ステップＳＥ４）。
【００５６】
次に、上記処理が終了したら、変換後に座標位置からスポット光Ｐにより指定された罫線を特定し（ステップＳＤ３）、所定のボタン操作による移動方向の指示操作待ちとなる（ステップＳＤ４）。ここで、指示操作があれば（ステップＳＤ４でＹＥＳ）、指定された罫線を指示された方向に所定量だけ移動させる（ステップＳＤ５）。つまりＲＡＭ４の所定領域において、指定された罫線に対応する、前述した罫線データ２１ａ（Ｋｎ）における始点と終点を示す座標データ（ｘ１，ｙ１、ｘ２，ｙ２）を、指示方向（ＸＹ方向）へ所定距離移動した座標データに変更する。なお、その際には、罫線データ２１ａの変更内容に伴い前述したセルデータ２１ｂにおける対応するデータも変更する。そして、変更後のデータに基づき新たなテンプレート画像を生成し、テンプレート画像をスクリーンＳに再投影する（ステップＳＤ６）。
【００５７】
その後は、ユーザーによって所定のボタン操作による終了操作があったか否かを判別し、終了操作がなければ（ステップＳＤ７でＮＯ）、ステップＳＤ５へ戻り、前述した処理より指定された罫線の移動を繰り返し、終了操作があった時点で（ステップＳＤ７でＹＥＳ）、以上の罫線移動処理を終了する。
【００５８】
また、図１３に示したように罫線属性変更処理においては、前述した罫線移動処理の場合と同様の手順によって、ユーザーに指定された罫線を特定する（ステップＳＦ１〜ＳＦ３）。引き続き、変更する属性の指定待ちとなり、ここで、いずれかの操作ボタンの操作によって属性指定が指定されるとともに（ステップＳＦ４でＹＥＳ）、指定された属性が「太さ」であったときには（ステップＳＦ５でＹＥＳ）、太さの選択待ちとなり、その間にユーザーに所望する太さを選択させる（ステップＳＦ６でＮＯ）。そして、太さの選択が選択されたら、指定された罫線を選択された太さに変更する（ステップＳＦ７）。つまり指定された罫線に対応する、前述した罫線データ２１ａ（Ｋｎ）における太さデータを変更する。そして、変更後のデータに基づき新たなテンプレート画像を生成し、テンプレート画像をスクリーンＳに再投影する（ステップＳＦ１３）。
【００５９】
また、指定された属性が「色」であったときには（ステップＳＦ５でＮＯ、ステップＳＦ８でＹＥＳ）、色の選択待ちとなり、その間にユーザーに所望する色を選択させる（ステップＳＦ９でＮＯ）。そして、色の選択が選択されたら、指定された罫線を選択された色に変更する（ステップＳＦ１０）。つまり指定された罫線に対応する、前述した罫線データ２１ａ（Ｋｎ）における色データを変更する。そして、変更後のデータに基づき新たなテンプレート画像を生成し、テンプレート画像をスクリーンＳに再投影する（ステップＳＤ１３）。
【００６０】
また、指定された属性が「線種」であったときには（ステップＳＦ５，ＳＦ８が共にＮＯ）、線種の選択待ちとなり、その間にユーザーに所望する線種を選択させる（ステップＳＦ１１でＮＯ）。そして、線種の選択が選択されたら、指定された罫線を選択された線種に変更する（ステップＳＦ１２）。つまり指定された罫線に対応する、前述した罫線データ２１ａ（Ｋｎ）における線種データを変更する。そして、変更後のデータに基づき新たなテンプレート画像を生成し、テンプレート画像をスクリーンＳに再投影する（ステップＳＤ１３）。なお、ステップＳＦ７，ＳＦ１０，ＳＦ１２の処理に際しては、罫線データ２１ａの変更内容に伴い前述したセルデータ２１ｂにおける対応するデータも変更する。
【００６１】
また、図１４に示したように枠内属性変更処理においては、まず所定の操作ボタンによる開始操作待ちの状態となり（ステップＳＧ１でＮＯ）、その間、ユーザーに、レーザーポインタ４００のスポット光Ｐにより、投影中のテンプレート画像のいずれかの枠を指定した状態を確保させる。そして、開始操作があったら（ステップＳＧ１でＹＥＳ）、前述した指定位置判定処理を実行した後（ステップＳＧ２）、ユーザーに指定された枠を特定する（ステップＳＧ３）。
【００６２】
引き続き、変更する属性の指定待ちとなり、ここで、いずれかの操作ボタンの操作によって属性指定が指定されるとともに（ステップＳＧ４でＹＥＳ）、指定された属性が「太さ」であったときには（ステップＳＧ５でＹＥＳ）、太さの選択待ちとなり、その間にユーザーに所望する太さを選択させる（ステップＳＧ６でＮＯ）。そして、太さの選択が選択されたら、指定された枠を選択された太さに変更する（ステップＳＧ７）。つまり指定された枠に対応する、前述したセルデータ２１ｂ（Ｓｎ）における、当該枠を形成する上下左右の罫線（Ｋｓ１〜Ｋｓｎ）に関する線の太さデータを変更する。そして、変更後のデータに基づき新たなテンプレート画像を生成し、テンプレート画像をスクリーンＳに再投影する（ステップＳＧ１０）。
【００６３】
また、指定された属性が「色」であったときには（ステップＳＧ５でＮＯ）、色の選択待ちとなり、その間にユーザーに所望する色を選択させる（ステップＳＧ８でＮＯ）。そして、色の選択が選択されたら（ステップＳＧ８でＹＥＳ）、指定された枠の塗りつぶし色を選択された色に変更する（ステップＳＧ９）。つまり指定された枠に対応する、前述したセルデータ２１ｂ（Ｓｎ）における色データを変更する。そして、変更後のデータに基づき新たなテンプレート画像を生成し、テンプレート画像をスクリーンＳに再投影する（ステップＳＧ１０）。
【００６４】
また、図１５に示したように罫線追加処理においては、まず所定の操作ボタンによる始点指示の完了待ちとなり（ステップＳＨ１でＮＯ）。その間、ユーザーに、レーザーポインタ４００のスポット光Ｐにより、投影中のテンプレート画像に追加したい罫線の始点を指定した状態を確保させる。そして、始点指示の完了操作があったら（ステップＳＨ１でＹＥＳ）、前述した指定位置判定処理を実行し、そこで取得した座標位置を始点の座標位置としてＲＡＭ４に記憶する（ステップＳＨ２）。引き続き、終点指示の完了待ちとなり（ステップＳＨ３でＮＯ）。その間、ユーザーに始点と同様にして終点を指定した状態を確保させる。そして、終点指示の完了操作があったら（ステップＳＨ３でＹＥＳ）、再び指定位置判定処理を実行し、そこで取得した座標位置を終点の座標位置としてＲＡＭ４に記憶する（ステップＳＨ４）。
【００６５】
その後、指定された始点と終点を有する新たな罫線データ（Ｋｎ）を、ＲＡＭ４の所定領域に読み出されている投影中のテンプレート画像の罫線データ２１ａに追加する変更を行う（ステップＳＨ５）。なお、その際には、罫線データ２１ａの追加に伴い、対応するセルデータ２１ｂの変更及び追加も行う。しかる後、変更後のデータに基づき新たなテンプレート画像を生成し、テンプレート画像をスクリーンＳに再投影する（ステップＳＨ６）。
【００６６】
そして、図１０に示したように、プロジェクタ５１においては、以上説明したいずれの処理が終了した後にはステップＳＣ２へ戻るとともに、テンプレート画像の表示終了操作があるまで、前述した処理を繰り返す。
【００６７】
以上のように、本実施の形態のプロジェクタ５１においては、ユーザーは表形式のテンプレート画像を、必要に応じてスクリーンＳに投影させることができるようにしたことから、第１の実施の形態と同様の効果を得ることができる。
【００６８】
さらには、テンプレート画像を、前述したテンプレートデータ（罫線データ２１ａ及びセルデータ２１ｂ）として保有しており、そのテンプレートデータに基づき生成して投影するため、テンプレート画像の保存に必要なメモリ容量が少なく、より多くのテンプレート画像を予め用意しておくことができる。
【００６９】
しかも、本実施の形態では、前述したように予め用意されたテンプレート画像について、ユーザーが所望する罫線や枠を指定し、罫線については追加や削除、移動、属性の変更ができ、枠については属性の変更ができるため、テンプレート画像を投影して使用する場合の使い勝手がよい。
【００７０】
なお、本実施の形態では、テンプレート画像の特定の罫線や枠をユーザーに指定させ、それを対象として種々の編集ができるようにしたが、これ以外にも以下のようにしてもよい。例えば行数や列数を指定させることにより罫線を増減したり、罫線の太さを変更したりする、といったように所定の操作でテンプレート画像の全体を一括して編集できるようにしてもよく、また、指定された罫線の消去等の前述した以外の編集が可能な構成としてもよい。
【００７１】
また、メモリカード２１に表形式のテンプレート画像を生成するためのテンプレートデータが記憶されている場合について説明したが、メモリカード２１には、横罫線や縦罫線のみからなるテンプレート画像を生成するためのテンプレートデータ、つまり罫線データ２１ａのみを記憶させておくようにしてもよい。また、それらのデータを、メモリカード２１以外の他の記憶媒体に記憶しておくようにしてもよい。
【００７２】
また、ユーザーによる特定の罫線や枠の指定に、レーザーポインタ４００を用いるものについて説明したが、これに限らず、所定の操作ボタンの操作のみによって、罫線や枠を指定させるようにしてもよい。その場合には、前述したデジタルカメラ部８を廃止することができる。また、例えば所定の操作ボタンを押される毎に、編集候補となる罫線や枠を所定の順に切り替え、それらを所定の色によって表すテンプレート画像を順次更新して投影したり、或いはテンプレート画像にマウスポインタのような画像を重畳表示させ、それを方向を指定する操作ボタンによって移動させることにより、罫線や枠を指定させるようにしてもよい。
【００７３】
また、本実施の形態では、主として既存のテンプレート画像の編集を可能としてものについて説明したが、例えばユーザーに行数及び／又は列数と、罫線の太さとを指定させ、それに応じて新たなテンプレート画像を生成し、かつ投影するような構成としてもよい。
【００７４】
また、前述したように編集した後のテンプレート画像や、新たに作成したテンプレート画像を、ユーザーが必要に応じてメモリカード２１に新たに記憶できる構成としてもよく、さらには、第１の実施の形態と同様に、デジタルカメラ部８で撮影した画像をＰＣ１００へ出力させ、それをＰＣ１００において記録可能な構成としてもよい。
【００７５】
また、第１及び第２の実施の形態では、デジタルカメラが内蔵されたプロジェクタ１，５１を示したが、本発明は、汎用のデジタルカメラが接続でき、かつそれとデータ通信が可能なプロジェクタに適用することもできる。
【００７６】
【発明の効果】
以上説明したように請求項１の発明においては、所定の要求があると、複数本の罫線により構成されるテンプレート画像が投影手段によってスクリーンに投影されるようにした。よって、スクリーン上に表を直接記述して作成する際の作業性を向上させることが可能となる。
【００７７】
また、請求項２の発明においては、多種多様なテンプレート画像を投影することができるようした。よって、使い勝手を向上させることが可能となる。
【００７８】
また、請求項３の発明においては、複数本の罫線をそれぞれ示す罫線情報として記憶することにより、記憶手段が要するテンプレート画像の記憶容量を小さくすることができるようにした。よって、記憶手段により多数のテンプレート画像を記憶させることができ、記憶手段の利用効率を向上させることが可能となる。しかも、テンプレート画像の編集が可能となる。
【００７９】
また、請求項４の発明においては、投影されたテンプレート画像における罫線の内容を要求に応じて編集することができるようにした、よって、使い勝手を更に向上させることが可能となる。
【００８０】
また、請求項５の発明においては投影されたテンプレート画像において、罫線の位置を編集することができ、請求項６の発明においては罫線の属性を編集することができ、さらに請求項７の発明においては、それらをユーザーに指定された特定の罫線について行えるようにした。よって、使い勝手を更に向上させることが可能となる。
【００８１】
また、請求項８の発明においては、罫線だけでは表現できない多様なテンプレート画像を投影することができるようにした。よって、記憶手段における利用効率の向上を図りながら、投影可能なテンプレート画像の多様化によって使い勝手の向上させることが可能となる。
【００８２】
また、請求項９の発明においては、投影されたテンプレート画像において、各枠の属性を編集することができ、さらに請求項１０の発明においては、それをユーザーに指定された特定の枠について行えるようにした。よって、使い勝手を更に向上させることが可能となる。
【図面の簡単な説明】
【図１】本発明の第１の実施の形態を示す投影システムの構成図である。
【図２】同実施の形態におけるプロジェクタとパーソナルコンピュータの概略構成を示すブロック図である。
【図３】プロジェクタのテンプレートメモリに記憶されているテンプレート画像を示す図である。
【図４】同テンプレートメモリに記憶されている他のテンプレート画像を示す図である。
【図５】同テンプレートメモリに記憶されている他のテンプレート画像を示す図である。
【図６】同実施の形態におけるプロジェクタの動作を示すフローチャートである。
【図７】本発明の第２の実施の形態を示す投影システムの構成図である。
【図８】同実施の形態におけるプロジェクタとパーソナルコンピュータの概略構成を示すブロック図である。
【図９】プロジェクタのメモリカードに記憶されているテンプレートデータの構成を示す模式図である。
【図１０】同実施の形態におけるプロジェクタの動作を示すフローチャートである。
【図１１】プロジェクタによる罫線移動処理の手順を示すフローチャートである。
【図１２】プロジェクタによる指定位置判定処理の手順を示すフローチャートである。
【図１３】プロジェクタによる罫線属性変更処理の手順を示すフローチャートである。
【図１４】プロジェクタによる枠内属性変更処理の手順を示すフローチャートである。
【図１５】プロジェクタによる罫線追加処理の手順を示すフローチャートである。
【符号の説明】
１    プロジェクタ
１ａ    投影部
１ｂ    撮影部
２    ＣＰＵ
３    ＲＯＭ
４    ＲＡＭ
５    テンプレートメモリ
６    表示部
７    キー入力部
８    デジタルカメラ部
２１    メモリカード
２１ａ    罫線データ
２１ｂ    セルデータ
５１    プロジェクタ
１００    ＰＣ
１０１    ＣＰＵ
１０３    記憶装置
２００    ＲＧＢケーブル
３００    ＵＳＢケーブル
４００    レーザーポインタ
Ｐ    スポット光
Ｓ    スクリーン
【図１】
2004198858.tif 000003
【図２】
2004198858.tif 000004
【図３】
2004198858.tif 000005
【図４】
2004198858.tif 000006
【図５】
2004198858.tif 000007
【図６】
2004198858.tif 000008
【図７】
2004198858.tif 000009
【図８】
2004198858.tif 000010
【図９】
2004198858.tif 000011
【図１０】
2004198858.tif 000012
【図１１】
2004198858.tif 000013
【図１２】
2004198858.tif 000014
【図１３】
2004198858.tif 000015
【図１４】
2004198858.tif 000016
【図１５】
2004198858.tif 000017